(57)【要約】【課題】火災受信機と主中継器との間で所期の伝送速度を得やすい分散型火災報知システムを得る。【解決手段】感知器及び感知器の発報に連動して制御される被制御機器がそれぞれ接続される複数のホスト機器が、ネットワークを介して接続される分散型火災報知システムであって、複数のホスト機器は、火災受信機と主中継器とを含み、複数のホスト機器のそれぞれは、ネットワークに接続するための通信回路と、感知器の発報に連動してネットワークに接続されたホスト機器に送るための信号を、通信回路に出力する制御回路と、を備え、通信回路と制御回路とは、一枚の基板に実装されており、通信回路と制御回路との間の伝送速度は、ネットワークの伝送速度よりも速い。【選択図】図１
2020107182.tif 000002
【特許請求の範囲】
【請求項１】
感知器及び前記感知器の発報に連動して制御される被制御機器がそれぞれ接続される複数のホスト機器が、ネットワークを介して接続される分散型火災報知システムであって、
前記複数のホスト機器は、火災受信機と主中継器とを含み、
前記複数のホスト機器のそれぞれは、
前記ネットワークに接続するための通信回路と、
前記感知器の発報に連動して前記ネットワークに接続された前記ホスト機器に送るための信号を、前記通信回路に出力する制御回路と、を備え、
前記通信回路と前記制御回路とは、一枚の基板に実装されており、
前記通信回路と前記制御回路との間の伝送速度は、前記ネットワークの伝送速度よりも速い
分散型火災報知システム。
【請求項２】
前記通信回路と前記制御回路との間の信号の伝送を行う回路は、パラレル回路である
ことを特徴とする請求項１記載の分散型火災報知システム。
【発明の詳細な説明】
【技術分野】
【０００１】
本発明は、分散型火災報知システムに関する。
【背景技術】
【０００２】
信号線を介して接続された感知器を監視制御する複数の主中継器と、この複数の主中継器と伝送線を介して接続され、該複数の主中継器との間で火災情報の送受信が行われる火災受信機と、を備えた分散型火災報知システムが知られている（例えば、特許文献１参照）。
【先行技術文献】
【特許文献】
【０００３】
【特許文献１】特許第５０００４０１号公報
【発明の概要】
【発明が解決しようとする課題】
【０００４】
特許文献１に記載の主中継器及び火災受信機は、それぞれ、ＬＡＮ（Local Area Network）インターフェースを備えている。主中継器及び火災受信機は、自身が備えるＬＡＮインターフェースを介して、互いに通信する。
【０００５】
ここで一般に、火災受信機が主中継器と通信する際には、火災受信機の制御部とＬＡＮインターフェースとが通信接続され、このＬＡＮインターフェースと主中継器のＬＡＮインターフェースとがＬＡＮを介して通信接続される。さらに、主中継器のＬＡＮインターフェースと制御部とが通信接続される。火災受信機と主中継器とが通信する際の信号の伝送速度は、火災受信機及び主中継器における制御部とＬＡＮインターフェースとの間の通信経路の伝送速度と、ＬＡＮの通信経路の伝送速度とによって定まる。伝送のスループットは、通信経路のうち、伝送速度の遅い通信経路に依存する。したがって、主中継器と火災受信機とが通信する際に形成される複数の通信経路のうちのいずれかの通信経路の伝送速度が速くても、他の通信経路の伝送速度が遅ければ、主中継器と火災受信機との間では速い方の通信経路の本来の伝送速度が得られないことになる。
【０００６】
ＬＡＮには火災受信機と１又は複数の主中継器という複数の機器が接続される。また、火災受信機と主中継器とは、別フロアあるいは別棟に設置されるため、これらの機器間を接続するＬＡＮの通信経路は長くなる。このため、通信速度の低下を招く外乱が潜在しやすいといえる。これに加えてＬＡＮ以外の通信経路にボトルネックがあると、ＬＡＮにおいて本来得られるべき伝送速度が得られず、火災受信機と主中継器との間の所期の伝送速度も得られなくなってしまう。
【０００７】
本発明は、上記のような課題を背景としてなされたものであり、火災受信機と主中継器との間で所期の伝送速度を得やすい分散型火災報知システムを提供するものである。
【課題を解決するための手段】
【０００８】
本発明に係る分散型火災報知システムは、感知器及び前記感知器の発報に連動して制御される被制御機器がそれぞれ接続される複数のホスト機器が、ネットワークを介して接続される分散型火災報知システムであって、前記複数のホスト機器は、火災受信機と主中継器とを含み、前記複数のホスト機器のそれぞれは、前記ネットワークに接続するための通信回路と、前記感知器の発報に連動して前記ネットワークに接続された前記ホスト機器に送るための信号を、前記通信回路に出力する制御回路と、を備え、前記通信回路と前記制御回路とは、一枚の基板に実装されており、前記通信回路と前記制御回路との間の伝送速度は、前記ネットワークの伝送速度よりも速いものである。
【発明の効果】
【０００９】
本発明によれば、火災受信機と主中継器との間で所期の伝送速度を得やすい。
【図面の簡単な説明】
【００１０】
【図１】実施の形態１に係る分散型火災報知システムのシステム系統図である。
【図２】実施の形態１に係る火災受信機及び主中継器の通信に関する構成を説明する図である。
【発明を実施するための形態】
【００１１】
以下、本発明に係る分散型火災報知システムを、図面を参照して説明する。本発明は、以下の実施の形態に限定されるものではなく、本発明の主旨を逸脱しない範囲で種々に変形することが可能である。
【００１２】
実施の形態１．
図１は、実施の形態１に係る分散型火災報知システムのシステム系統図である。図１に示すように、分散型火災報知システム１００は、ホスト機器としての火災受信機１０及び主中継器２０が、ＬＡＮ（Local Area Network）１を介して接続されている。複数の主中継器２０が例示されているが、ＬＡＮ１に接続される主中継器２０は１台であってもよい。ＬＡＮ１は、火災受信機１０と主中継器２０との間で情報を共有するための通信ネットワークである。複数の火災受信機１０のそれぞれには、個別のノード番号が付与されており、分散型火災報知システム１００において一意に識別される。火災受信機１０及び複数の主中継器２０のそれぞれには、信号線３を介して、感知器と、感知器の発報に連動して制御される被制御機器とが接続されている。図１及びこれ以降の説明では、感知器及び被制御機器をまとめて、端末機器２と表現する場合がある。被制御機器は、例えば、警報装置、防排煙装置、及び信号中継器のうちいずれかを含む。感知器は、赤外線放射、紫外線放射、又は燃焼ガス等の火災に起因する物理現象を検出するセンサを有し、火災に起因する物理現象に応じた検出値を出力する。警報装置は、例えば、地区ベルやスピーカなどの音響警報を出力する装置、又はフラッシュライト等の視覚的な警報を出力する光警報装置である。防排煙装置は、例えば、防火扉、シャッター等である。各端末機器２には、個別の端末アドレスが付与されており、分散型火災報知システム１００において一意に識別される。
【００１３】
火災受信機１０及び主中継器２０は、信号線３を介して、それぞれに接続された端末機器２を監視制御する。また、火災受信機１０と主中継器２０との間で、ＬＡＮ１を介して、端末機器２から収集した火災情報の送受信が行われる。これにより、火災受信機１０と主中継器２０との間で火災情報を共有できるようになっている。分散型火災報知システム１００は、例えば、複数のフロアを有する建物に設置される。より具体的には例えば、火災受信機１０は１階に配置され、複数の主中継器２０のそれぞれは２階以上の各フロアに分散配置され、配置されたフロアの監視区域を監視する。そして、端末機器２は、接続された火災受信機１０又は主中継器２０と同じフロアに設置される。なお、ここで説明した分散型火災報知システム１００の設置例は一例であり、火災受信機１０及び複数の主中継器２０を異なる建物に分散配置してもよい。
【００１４】
図２は、実施の形態１に係る火災受信機及び主中継器の通信に関する構成を説明する図である。図２では、図１で示した複数の主中継器２０のうち、１台の主中継器２０のみを図示している。
【００１５】
火災受信機１０は、回路基板１１と、制御回路１２と、通信回路１３と、接続回路１４と、端末インターフェース回路１５とを備える。制御回路１２は、火災受信機１０全体を制御する回路である。制御回路１２は、例えば、主中継器２０のノード番号、端末機器２のアドレス番号、通信に関する情報など、火災受信機１０の制御に必要な情報を記憶するメモリを備えている。制御回路１２は、火災信号を受信すると、火災情報を生成して、通信回路１３に出力する。ここで、火災情報は、例えば、端末機器２の一つである火災を感知した感知器のアドレス、種別及び位置並びに火災発生日時を示す情報である。
【００１６】
通信回路１３は、主中継器２０とＬＡＮ１を介して通信するための通信インターフェース回路である。通信回路１３は、制御回路１２から出力された火災情報を、ＬＡＮ１で使用される通信プロトコルに従って変換する。ここで、通信回路１３は、ＬＡＮ１に接続される主中継器２０のＬＡＮアドレスを記憶するメモリを有する。通信回路１３は、通信プロトコルに従って変換された火災情報を、出力先の主中継器２０のＬＡＮアドレスに対して出力する。
【００１７】
接続回路１４は、制御回路１２と通信回路１３とを接続する回路であり、両者の間の通信経路を構成する。端末インターフェース回路１５は、信号線３を介して接続される端末機器２との間で信号を送受信するための通信インターフェース回路である。
【００１８】
本実施の形態では、一枚の回路基板１１に、制御回路１２と通信回路１３とが実装されている。また、制御回路１２と通信回路１３との間の通信経路を構成する接続回路１４は、パラレル回路である。
【００１９】
主中継器２０は、回路基板２１と、制御回路２２と、通信回路２３と、接続回路２４と、端末インターフェース回路２５とを備える。制御回路２２は、主中継器２０全体を制御する回路である。制御回路２２は、例えば、火災受信機１０のノード番号、端末機器２のアドレス番号、通信に関する情報など、主中継器２０の制御に必要な情報を記憶するメモリを備えている。制御回路２２は、火災信号を受信すると、火災情報を生成して、通信回路２３に出力する。ここで、火災情報は、端末機器２の一つである火災を感知した感知器のアドレス、種別及び位置並びに火災発生日時を示す情報である。
【００２０】
通信回路２３は、火災受信機１０とＬＡＮ１を介して通信するための通信インターフェース回路である。通信回路２３は、制御回路２２から出力された火災情報を、ＬＡＮ１で使用される通信プロトコルに従って変換する。ここで、通信回路２３は、ＬＡＮ１に接続される火災受信機１０及び主中継器２０のＬＡＮアドレスを記憶するメモリを有する。通信回路２３は、通信プロトコルに従って変換された火災情報を、出力先の火災受信機１０又は主中継器２０のＬＡＮアドレスに対して出力する。
【００２１】
接続回路２４は、制御回路２２と通信回路２３とを接続する回路であり、両者の間の通信経路を構成する。端末インターフェース回路２５は、信号線３を介して接続される端末機器２との間で信号を送受信するための通信インターフェース回路である。
【００２２】
本実施の形態では、一枚の回路基板２１に、制御回路２２と通信回路２３とが実装されている。また、制御回路２２と通信回路２３との間の通信経路を構成する接続回路２４は、パラレル回路である。
【００２３】
接続回路１４及び接続回路２４の伝送速度は、ＬＡＮ１の伝送速度よりも速い。例えば、接続回路１４及び接続回路２４の伝送速度は、２０Ｍｂｐｓ相当であり、ＬＡＮ１の伝送速度は、１Ｍｂｐｓ相当である。
【００２４】
以上のような構成の分散型火災報知システム１００では、端末機器２の一部である感知器が火災を検出すると、その感知器に接続された火災受信機１０又は主中継器２０が、火災信号を受信する。火災信号を受信した火災受信機１０又は主中継器２０は、自身以外の火災受信機１０及び主中継器２０に、ＬＡＮ１を介して火災発報情報を送出する。火災発報情報を受信した火災受信機１０は、ディスプレイ又はランプなどの表示装置に、火災に関する情報を出力する。また、火災発報情報を受信した火災受信機１０及び主中継器２０は、自身に信号線３を介して接続された端末機器２のうちの警報装置又は防排煙装置を作動させる。
【００２５】
このように、分散型火災報知システム１００においては、火災受信機１０と主中継器２０との間でＬＡＮ１を介して通信が行われる。火災受信機１０は、ＬＡＮ１に接続するための通信回路１３と、感知器の発報に連動して主中継器２０に送るための信号を通信回路１３に出力する制御回路１２とを備えている。主中継器２０は、ＬＡＮ１に接続するための通信回路２３と、感知器の発報に連動して火災受信機１０に送るための信号を通信回路２３に出力する制御回路２２とを備えている。通信回路１３と制御回路１２とは、一枚の回路基板１１に実装され、通信回路２３と制御回路２２とは、一枚の回路基板２１に実装されている。そして、通信回路１３と制御回路１２との間の接続回路１４の伝送速度は、ＬＡＮ１の伝送速度よりも速い。また、通信回路２３と制御回路２２との間の接続回路２４の伝送速度は、ＬＡＮ１の伝送速度よりも速い。このため、火災受信機１０と主中継器２０との間で通信する場合、制御回路１２と通信回路１３との接続回路１４及び制御回路２２と通信回路２３との接続回路２４が、ボトルネックになりにくい。したがって、ＬＡＮ１の所期の伝送速度が確保されやすく、火災受信機１０と主中継器２０との間で所期の伝送速度を得やすい。なお、ここでは火災受信機１０と主中継器２０との間の通信を例に説明したが、主中継器２０と他の主中継器２０との間の通信においても、同様のことが当てはまる。
【００２６】
また、本実施の形態では、通信回路１３と制御回路１２との間の信号の伝送を行う接続回路１４は、パラレル回路である。また、通信回路２３と制御回路２２との間の信号の伝送を行う接続回路２４は、パラレル回路である。パラレル回路は、複数のデータを同時に送ることができるため、伝送速度を高速化できる。
【符号の説明】
【００２７】
１  ＬＡＮ、２  端末機器、３  信号線、１０  火災受信機、１１  回路基板、１２  制御回路、１３  通信回路、１４  接続回路、１５  端末インターフェース回路、２０  主中継器、２１  回路基板、２２  制御回路、２３  通信回路、２４  接続回路、２５  端末インターフェース回路、１００  分散型火災報知システム。
【図１】
2020107182.tif 000003
【図２】
2020107182.tif 000004